(57)【要約】【課題】撮像光学系の光軸方向及び光軸直交方向の双方の衝撃に対し高い耐衝撃性を有するレンズ駆動装置を得ること及び、耐衝撃性に優れたレンズ駆動装置を備えたカメラモジュールを有する携帯端末を得る。【解決手段】被写体光を導く撮像光学系を保持する鏡枠と、撮像光学系の光軸方向に鏡枠を移動させるアクチュエータと、鏡枠の外側に配置された筐体と、を有し、鏡枠は、断面が円形状の線材で、鏡枠を懸架したレンズ駆動装置とする。【選択図】図３
2009271285.tif 000002
【特許請求の範囲】
【請求項１】
被写体光を導く撮像光学系を保持する鏡枠と、前記撮像光学系の光軸方向に前記鏡枠を移動させるアクチュエータと、前記鏡枠の外側に配置された筐体と、を有し、断面が円形状の線材で、鏡枠を懸架したことを特徴とするレンズ駆動装置。
【請求項２】
前記線材は、前記撮像光学系の光軸とねじれの位置となる状態で、前記鏡枠に固着されていることを特徴とする請求項１に記載のレンズ駆動装置。
【請求項３】
前記線材が、曲線状に形成されていることを特徴とする請求項１又は２に記載のレンズ駆動装置。
【請求項４】
請求項１〜３のいずれか一項に記載のレンズ駆動装置と、被写体光を光電変換する撮像素子を有することを特徴とするカメラモジュール。
【請求項５】
請求項４に記載のカメラモジュールを有することを特徴とする携帯端末。
【発明の詳細な説明】
【技術分野】
【０００１】
本発明は、携帯端末に内蔵されるに好適な、レンズ駆動装置を備えた小型のカメラモジュールに関するものである。
【背景技術】
【０００２】
従来より、携帯電話機等の携帯端末に、小型で薄型のカメラモジュールが搭載されており、撮影のみならず、遠隔地へ音声情報だけでなく画像情報も相互に伝送することが可能となっている。このようなカメラモジュールにおいても、オートフォーカス撮影を可能とすべく撮影光学系を光軸に沿って移動させるためのレンズ駆動装置を備えたものがある。
【０００３】
このようなカメラモジュールのレンズ駆動装置として、鏡枠の前方と後方の２箇所に板材で形成されたバネ部材を取り付け、バネ部材の付勢力に抗して撮影光学系を移動させるものが知られている（例えば、特許文献１参照）。この特許文献１に記載のレンズ駆動装置は、鏡枠の保持にプレス加工やエッチング加工で形成された板材のバネ性を有する部分に湾曲状の繋部を形成して、光軸直交方向の衝撃にも対応しようとするものである。
【特許文献１】特開２００６−２０１５２５号公報
【発明の開示】
【発明が解決しようとする課題】
【０００４】
しかしながら、上記特許文献１に記載のレンズ駆動装置は、バネ部材が板材であるため、撮像光学系の光軸直交方向であるバネ部材の板面に略平行な方向の耐衝撃性が、板面に直交する方向の耐衝撃性に比べて弱く、塑性変形を起こし易く、正常なフォーカシング動作の障害となるという問題がある。
【０００５】
本発明は上記問題に鑑み、撮像光学系の光軸方向及び光軸直交方向の双方に対し高い耐衝撃性を有するレンズ駆動装置を備えたカメラモジュールを得ること及び、耐衝撃性に優れたカメラモジュールを備えた携帯端末を得ることを目的とするものである。
【課題を解決するための手段】
【０００６】
上記の目的は、下記に記載する発明により達成される。
【０００７】
１．被写体光を導く撮像光学系を保持する鏡枠と、前記撮像光学系の光軸方向に前記鏡枠を移動させるアクチュエータと、前記鏡枠の外側に配置された筐体と、を有し、断面が円形状の線材で、鏡枠を懸架したことを特徴とするレンズ駆動装置。
【０００８】
２．前記線材は、前記撮像光学系の光軸とねじれの位置となる状態で、前記鏡枠に固着されていることを特徴とする前記１に記載のレンズ駆動装置。
【０００９】
３．前記線材が、曲線状に形成されていることを特徴とする前記１又は２に記載のレンズ駆動装置。
【００１０】
４．前記１〜３のいずれかに記載のレンズ駆動装置と、被写体光を光電変換する撮像素子を有することを特徴とするカメラモジュール。
【００１１】
５．前記４に記載のカメラモジュールを有することを特徴とする携帯端末。
【発明の効果】
【００１２】
本発明によれば、撮像光学系の光軸方向及び光軸直交方向の双方に対し高い耐衝撃性を有するレンズ駆動装置を備えたカメラモジュールを得ることが可能となり、耐衝撃性に優れたカメラモジュールを備えた携帯端末を得ることが可能となる。
【発明を実施するための最良の形態】
【００１３】
以下、実施の形態により本発明を詳しく説明するが、本発明はこれに限定されるものではない。
【００１４】
（第１の実施の形態）
図１は、第１の実施の形態に係るレンズ駆動装置１の概略構成を示す断面図である。図２は、図１に示すレンズ駆動装置１を被写体側から見た正面図である。
【００１５】
図１及び図２に示すように、撮像光学系１０を保持する鏡枠２２に形成された鍔部２２ｔの外周面側に、コイル３３を有しており、このコイル３３に対向してマグネット３２が配置されている。マグネット３２は、コの字状のヨーク３１に保持されている。ヨーク３１は、鏡枠２２の外側に配置された筐体である上側筐体３５ａ、下側筐体３５ｂに保持されている。
【００１６】
鏡枠２２は、断面が円形状の線材２５により懸架されており、線材２５の両端部はそれぞれ鏡枠２２と上側筐体３５ａ、鏡枠２２と下側筐体３５ｂに固着されている。この固着は、例えば接着等で行われる。
【００１７】
線材２５は、例えば、リン青銅、ベリリウム銅、ピアノ線、ステンレス等の線材が好ましく、半田を用いて固着する場合やコイル３３へ電力供給するのに用いる場合には、表面に半田被膜が形成されていることが好ましい。
【００１８】
鏡枠２２は、光軸Ｏ方向に移動可能となされ、コイル３３に通電されていない状態では、鏡枠２２は、線材２５による付勢力により下側筐体３５ｂに当接して停止した状態となされている。コイル３３に通電がなされると、電磁力により、線材２５の付勢力に抗して、鏡枠２２は光軸方向の被写体側に移動するようになっている。
【００１９】
図３は、第１の実施の形態に係るレンズ駆動装置１の鏡枠２２を抜き出して示した斜視図である。
【００２０】
図３に示すように、鏡枠２２の被写体側に４本、撮像素子側に４本の線材２５が用いられている。鏡枠２２は、この線材２５により支持されているともいえる。
【００２１】
また、図２及び図３に示すように、線材２５及びその延長線は、撮像光学系１０の光軸Ｏと交わらず、また光軸Ｏを含む面に含まれない、即ち、ねじれの位置となる状態で、鏡枠に組み付けられている。
【００２２】
このように、断面が円形状の線材で鏡枠を懸架することにより、レンズ駆動装置が、撮像光学系の光軸方向とは異なる種々の方向から衝撃を受けても、線材の有する弾性で衝撃を吸収できるため、耐衝撃性の高いレンズ駆動装置を得ることが可能となる。
【００２３】
図４は、第１の実施の形態に係るレンズ駆動装置１の変形例を示す正面図である。
【００２４】
図４に示すように、鏡枠２２を懸架する線材２５を、曲線状に形成したものである。このような線材２５で鏡枠２２を懸架するよう構成することで、種々の方向からの衝撃に対し、より高い耐衝撃性を有するレンズ駆動装置を得ることができる。
【００２５】
（第２の実施の形態）
図５は、第２の実施の形態に係るレンズ駆動装置１を被写体側から見た正面図である。図６は、図５に示すレンズ駆動装置１の鏡枠２２を抜き出して示した斜視図である。以降の図においては、説明の重複を避けるため、同機能部材には同符号を付与して説明する。
【００２６】
図５に示す第２の実施の形態に係るレンズ駆動装置１は、鏡枠２２の相対する２つの面に凸部２２ｋを形成し、この凸部２２ｋを用いて、線材２５で懸架したものである。この場合には、線材２５は図６に示すように４本で保持することができる。
【００２７】
なお、図５及び図６においては、４箇所にヨークを配置した例で説明したが、対向する２つの辺にヨーク及びマグネットを配置するよう構成してもよく、この場合には高い耐衝撃性を有すると共に、外形がより小型のレンズ駆動装置とすることができる。
【００２８】
（第３の実施の形態）
図７は、第３の実施の形態に係るレンズ駆動装置１を被写体側から見た正面図である。図８は、図７に示すレンズ駆動装置１の鏡枠２２を抜き出して示した斜視図である。
【００２９】
図７に示す第３の実施の形態に係るレンズ駆動装置１は、鏡枠２２の線材２５により懸架される部位が円形の場合の一例を示したものである。図７、図８に示すように、鏡枠２２の円周を略１２０度刻みで３分割し、線材２５を鏡枠２２に対し斜めに（略接線方向）となるように取り付けて懸架したものである。円形の場合には、図７、図８に示すように６本で保持することが好ましい。
【００３０】
以上説明したように、断面が円形状の線材で鏡枠を懸架したレンズ駆動装置とすることで、従来の板バネで保持した場合に比べ、撮像光学系の光軸方向及び光軸直交方向の双方の衝撃に対し高い耐衝撃性を有するレンズ駆動装置を得ることが可能となる。
【００３１】
なお、本願で言う円形状とは、断面に角部或いは角部と見えるような形状を有さないもの、例えば離心率の小さい楕円形状等も含まれるものである。
【００３２】
以下に、上記実施の形態のレンズ駆動装置に撮像素子が組み付けられたカメラモジュールを備えた携帯端末の例を示す。
【００３３】
図９は、本実施の形態に係るカメラモジュール１５を備えた携帯端末の一例である携帯電話機１００の外観図である。
【００３４】
同図に示す携帯電話機１００は、表示画面Ｄ１及びＤ２を備えたケースとしての上筐体７１と、入力部である操作ボタン６０を備えた下筐体７２とがヒンジ７３を介して連結されている。カメラモジュール１５は、上筐体７１内の表示画面Ｄ２の下方に内蔵されており、カメラモジュール１５が上筐体７１の外表面側から光を取り込めるよう配置されている。
【００３５】
なお、このカメラモジュール１５の位置は上筐体７１内の表示画面Ｄ２の上方や側面に配置してもよい。また携帯電話機は折りたたみ式に限るものではないのは、勿論である。
【００３６】
図１０は、携帯電話機１００の制御ブロック図である。
【００３７】
同図に示すように、カメラモジュール１５は、携帯電話機１００の制御部１０１と接続され、輝度信号や色差信号等の画像信号を制御部１０１へ出力する。
【００３８】
一方、携帯電話機１００は、各部を統括的に制御すると共に、各処理に応じたプログラムを実行する制御部（ＣＰＵ）１０１と、番号等を指示入力するための入力部である操作ボタン６０と、所定のデータ表示や撮像した画像を表示する表示画面Ｄ１、Ｄ２と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１により実行される各種処理プログラムやデータ、若しくは処理データ、カメラモジュール１５による画像データ等を一時的に格納したり、作業領域として用いられる一時記憶部（ＲＡＭ）９２を備えている。
【００３９】
また、カメラモジュール１５から入力された画像信号は、携帯電話機１００の制御部１０１により、不揮発性記憶部（フラッシュメモリ）９３に記憶されたり、或いは表示画面Ｄ１、Ｄ２に表示されたり、更には、無線通信部８０を介し画像情報として外部へ送信されるようになっている。
【図面の簡単な説明】
【００４０】
【図１】第１の実施の形態に係るレンズ駆動装置の概略構成を示す断面図である。
【図２】図１に示すレンズ駆動装置を被写体側から見た正面図である。
【図３】第１の実施の形態に係るレンズ駆動装置の鏡枠を抜き出して示した斜視図である。
【図４】第１の実施の形態に係るレンズ駆動装置の変形例を示す正面図である。
【図５】第２の実施の形態に係るレンズ駆動装置を被写体側から見た正面図である。
【図６】図５に示すレンズ駆動装置の鏡枠を抜き出して示した斜視図である。
【図７】第３の実施の形態に係るレンズ駆動装置を被写体側から見た正面図である。
【図８】図７に示すレンズ駆動装置の鏡枠を抜き出して示した斜視図である。
【図９】本実施の形態に係るカメラモジュールを備えた携帯端末の一例である携帯電話機の外観図である。
【図１０】携帯電話機の制御ブロック図である。
【符号の説明】
【００４１】
１  レンズ駆動装置
１０  撮像光学系
１５  カメラモジュール
２２  鏡枠
２５  線材
３１  ヨーク
３２  マグネット
３３  コイル
３５ａ  上側筐体
３５ｂ  下側筐体
１００  携帯電話機
Ｏ  光軸
【図１】
2009271285.tif 000003
【図２】
2009271285.tif 000004
【図３】
2009271285.tif 000005
【図４】
2009271285.tif 000006
【図５】
2009271285.tif 000007
【図６】
2009271285.tif 000008
【図７】
2009271285.tif 000009
【図８】
2009271285.tif 000010
【図９】
2009271285.tif 000011
【図１０】
2009271285.tif 000012